(57)【要約】【課題】  より優れた構造強度があり、且つ耐水性を持ってアルバムが水に濡れて損壊することを防止できる耐水アルバム頁の構造を提供する。【解決手段】  頁紙１、補強シート２、および補強板３からなり、該頁紙１は適当な幅を持ち、中央において折畳縁１１を形成し、裏の位置に防水性に強い補強シート２の一面と貼りあわせられ、該頁紙１の表面に防水保護膜５を設置し、補強板３は適当な硬度、厚さを持つ防水板であり、頁紙の裏の端が其々補強シート２によって両補強板３の一面と貼り合せられてアルバムの頁になり、各補強板３のもう一面は補強シート２によってもう一枚の頁紙と貼り合わせるような順序によって全体のアルバム頁を組み立てていきながら全体によりよい耐水性を持たせる耐水アルバム頁である。【選択図】    図１
0003103703.tif 000002
【実用新案登録請求の範囲】
【請求項１】
頁紙、補強シート、および補強板からなり、該頁紙は適当な幅を持ち、中央において折畳縁を形成し、裏の位置に防水性に強い補強シートの一面と貼り合わせられ、該頁紙の表面に防水保護膜を設置し、補強板は適当な硬度、厚さを持つ防水性板であり、頁紙の裏の端は其々補強シートのもう一面によって両補強板の一面と貼り合せられてアルバムの頁になり、各補強板のもう一面は補強シートによってもう一枚の頁紙と貼り合わせられ、全体により優れた防水性が付与されていることを特徴とする耐水アルバム頁。
【請求項２】
補強板の幅は頁紙を向い折畳んだ幅より少し小さく、頁紙の裏の端は其々補強シートによって両補強板の一面と一枚のアルバム頁になるように貼り合せられ、両補強板の間に適当な隙間が形成され、上層のアルバム頁を展開する時にその補強板は下層のアルバム頁の補強板を押さえることなく、展開すると平らになることを特徴とする請求項１に記載の耐水アルバム頁。
【考案の詳細な説明】
【技術分野】
【０００１】
本考案は一種の耐水アルバム頁に関するものである。
【背景技術】
【０００２】
図５、および６は従来知られた製品の構造の一つであり、主としては底層紙３’、内層紙４’からアルバム頁になるもので、その底層紙３’、内層紙４’は適当な厚さを持ち、その底層紙３’と内層紙４’とは裏が貼り合せられ、且つ中央においてプレス機具で折畳縁３１’、４１’の溝を押しつけて、各アルバム頁を順序に沿ってアルバムに組み立てるようにする。
【０００３】
しかし前述した構造は底層紙３’と内層紙４’とは皆防水できないために湿気および水に濡れることにより損壊し、また図面７に示すように上層のアルバム頁を展開する時その折畳縁３１’は下層のアルバム頁を押え当てるためにアルバム頁の外側端が上に上がって展開したとき平らにならず、使用者が内層紙４’に貼り付けた写真（図面の中に示されていない）を見る時に不便であるという欠点を齎した。
【考案の開示】
【考案が解決しようとする課題】
【０００４】
よって本考案の目的は、より優れた構造強度があり、且つ耐水性を持ってアルバムが水に濡れて損壊することを防止できる耐水アルバム頁を提供することである。
【課題を解決するための手段】
【０００５】
上記課題を解決するための本考案の耐水アルバム頁は、頁紙、補強シート、補強板からなり、該頁紙は適当な幅を持ち、且つ中央において折畳縁を形成し、裏の位置において防水性に強い補強シートの一面と貼り合わせられ、該頁紙の表面に防水保護膜を設置する。補強板とは適当な硬度、厚さを持つ材質で作られたものであり、プラスチック板であるために耐水性があり、幅は頁紙を向い折畳んだ幅より少し小さく、頁紙の裏の端は其々補強シートのもう一面によって両補強板の一面と貼り合せられて一枚のアルバム頁になり、両補強板の間に適当な隙間を持たせて各補強板のもう一面は補強シートによってもう一枚の頁紙と貼り合せられて順に全体のアルバム頁を組み立てていくようにする。それによって全体をより優れた耐水性を持つように組み立てて、該頁紙は補強シートによって強度を促進でき、上層のアルバム頁を展開する時、その補強板は下層のアルバム頁の補強板を押え当てないために上、下層のアルバム頁が上に上がることを防止でき、且つ展開したとき平らにすることができる。
【考案を実施するための最良の形態】
【０００６】
図１〜３を参考する。本考案の一実施例による耐水アルバム頁は頁紙１、補強棒２、補強板３からなり、その頁紙１は適当な幅を持ち、且つ中央において折畳縁１１が形成し、裏の位置に防水性に強い補強シート２の一面を接合し、その補強シート２はプラスチックまたはその他の適当な材質の物で造られ、その頁紙１の表面に防水保護膜５を設置する。
【０００７】
補強板３は適当な硬度、厚さを持つ材質で作られ、補強板３は耐水性を持たせるにはプラスチック板でもよく、その補強板３の幅ａは頁紙１を向い折畳んだ幅ｂより少し小さく、頁紙１の裏の端は其々補強シート２のもう一面によって両補強板３の一面と貼り合せて一枚のアルバム頁になり、両補強板３の間に適当な隙間４を持たせ、各補強板３のもう一面は補強シート２によってもう一枚の頁紙１を貼り合せてから順序に沿って全体のアルバム頁（図３に示すように）を組み立て、且つ組み立てたアルバムにはまた防水性のあるカバー（図の中に示されない）を設ける。
【０００８】
本実施例を組み立てた後、頁紙１に防水保護膜５を設け、且つ補強シート２、補強板３は防水できるため組み合わせた全体は耐水性がより強くなり、その頁紙１は補強シート２、補強板３によってその強度が促進でき、その折畳縁１１の位置は補強シート２によって更に折畳縁１１の位置の強度が高められる。
【０００９】
また図４に示すように、本実施例では上層のアルバム頁が展開するとその補強板３は下層のアルバム頁の補強板３を押さえ当てないため上、下層のアルバム頁が上に上がることを防止でき、展開したときに平らになるために使用者が頁紙１を見やすくなる。
【００１０】
この他に、本考案では補強板を頁紙の折畳幅（図面に示されていない）と対応して設置しても本考案に求められた耐水効果を持つために、前述の構造も本考案の設計の範疇内に属されるべきである。
【００１１】
よって、以上に述べられたように、本考案の構造は従来知られた製品より次のような特徴を持つ。
本考案によって耐水性が促進でき、従来知られた製品の、水に濡れると損壊することを改善できるために大幅にアルバムの使用寿命が向上できる。
本考案の頁紙および補強板は補強シートによって面と面との固い接合であるためにより全体的に優れた固着性のある組み立てが得られる。
本考案の頁紙にある折畳縁の位置に補強シートを接合するために折畳縁の位置の強度が促進できる。
本考案の両補強板の間に隙間を設計することによって上層のアルバム頁を展開する時に平らに維持できる効果が得られる。
【図面の簡単な説明】
【００１２】
【図１】本考案の一実施例による耐水アルバム頁を示す分解斜視図である。
【図２】本考案の一実施例による耐水アルバム頁を示す側面図である。
【図３】本考案の一実施例による耐水アルバム頁を示す断面図である。
【図４】本考案の一実施例による耐水アルバム頁の上層を示す断面図である。
【図５】従来のアルバム頁を示す分解斜視図である。
【図６】従来のアルバム頁を示す断面図である。
【図７】従来のアルバム頁を示す上層を示す断面図である。
【符号の説明】
【００１３】
１  頁紙、１１  折畳縁、２  補強シート、３  補強板、３１  バックグルー、４  隙間、５  保護膜
【図１】
0003103703.tif 000003
【図２】
0003103703.tif 000004
【図３】
0003103703.tif 000005
【図４】
0003103703.tif 000006
【図５】
0003103703.tif 000007
【図６】
0003103703.tif 000008
【図７】
0003103703.tif 000009
【手続補正書】
【提出日】平成16年4月28日(2004.4.28)
【手続補正１】
【補正対象書類名】実用新案登録請求の範囲
【補正対象項目名】全文
【補正方法】変更
【補正の内容】
【実用新案登録請求の範囲】
【請求項１】
頁紙、補強シート、および補強板からなり、該頁紙は中央において折畳縁を形成し、裏の位置に防水性の補強シートが貼り合わせられ、該頁紙の表面に防水保護膜を設置し、補強板は防水性板であり、頁紙の裏の端は其々補強シートのもう一面によって両補強板の一面と貼り合せられてアルバムの頁になり、各補強板のもう一面は補強シートによってもう一枚の頁紙と貼り合わせられ、全体により優れた防水性が付与されていることを特徴とする耐水アルバム頁。
【請求項２】
補強板の幅は頁紙を向い折畳んだ幅より小さく、頁紙の裏の端は其々補強シートによって両補強板の一面と一枚のアルバム頁になるように貼り合せられ、両補強板の間に隙間が形成され、上層のアルバム頁を展開する時にその補強板は下層のアルバム頁の補強板を押さえることなく、展開すると平らになることを特徴とする請求項１に記載の耐水アルバム頁。